(57)【特許請求の範囲】
【請求項１】
電子機器を収納可能なラック本体と、
同ラック本体に固定され、前記電子機器の背面に備える機器側コネクタと接続可能なフローティング機構を有する複数個のラック側コネクタが取付けられたコネクタ取付部材と、
同コネクタ取付部材に対する前記ラック側コネクタの傾きを規制する規制用孔を前記ラック側コネクタの個数と同数またはそれ以上有するコネクタ規制部材とを備え、
同コネクタ規制部材は、前記コネクタ取付部材に対し、前記複数個のラック側コネクタが前記コネクタ取付部材に取付けられた際、前記ラック側コネクタの先端が前記規制用孔に挿入された状態となるように配置したことを特徴とする電子機器収納ラック。
【発明の詳細な説明】
【技術分野】
【０００１】
本発明は、電子機器を収納する電子機器収納ラックに関し、詳細には、電子機器収納ラックの背面にラック側コネクタを支持する構造に関する。
【背景技術】
【０００２】
従来の電子機器を収納する電子機器収納ラックにおいては、ラック内に複数のラックマウントが固定され、電子機器をラックマウントごとに収納することができるようになっている。
【０００３】
ラックマウントに収納される電子機器の背面側には機器側コネクタを備え、ラックマウントの背面側にはラック側コネクタを備えており、電子機器をラックマウントに収納すると、機器側コネクタがラック側コネクタに接続されるようになっている。ラックマウントの背面側には、ラック側コネクタに接続されたケーブルが配線処理されており、電子機器は、このケーブルを介して他の電子機器と電気的に接続されるようになっている。
【０００４】
ラックマウントは、電子機器を確実に収納できるように、収納する寸法に少しあそびを有しているが、このあそびがあるため、電子機器はラックマウントに対してがたつきが生じ、機器側コネクタがラック側コネクタに対して位置ずれを生じる。この結果、機器側コネクタがラック側コネクタに接続できないことがあるため、ラック側コネクタには、このような位置ずれを吸収するフローティング機構を備えている。
【０００５】
このようなフローティング機構付のラック側コネクタをラックマウントの背面側に備えた電子機器収納ラックとして、ラックマウントの背面側にコネクタ取付け板が固定され、このコネクタ取付け板を挟むように、コネクタ取付け板の前後にフローティング板が取付られているものが提案されている（例えば、特許文献１参照）。この電子機器収納ラックでは、ラック側コネクタがこのフローティング板に設けられており、フローティング板がコネクタ取付け板に対して上下左右にスライドするので、ラック側コネクタが上下左右に所定の範囲で変位するようになっている。
【０００６】
ところで、電子機器収納ラックにおいて、例えば、電子機器と他の電子機器とが近接して収納される場合、上下左右に変位するように設けられたラック側コネクタに接続されたケーブルを、他の電子機器と電気的に接続されるように配線処理したとき、ケーブルには曲げ変形が生じるため、この曲げ変形に反発する反発力がラック側コネクタに作用する。この結果、ラック側コネクタのフローティング機構があるために、コネクタ取付板に対してラック側コネクタが傾いてしまい、電子機器を収納する際、機器側コネクタとうまく接続できない問題が生じた。
【０００７】
このため、特許文献１に記載の電子機器収納ラックには、ラック側コネクタが傾いてしまうことを防止する構造を備えている。この構造は、コネクタ取付け板に対し、ケーブル支持部材とケーブル保持部材とが所定の間隔で平行に配置され、ケーブル保持部材がケーブル支持部材に対し、上下左右に所定の範囲で変位するようになっており、ケーブルがケーブル保持部材の上面にケーブル固定具により固定されるようになっている。
【０００８】
このようなケーブル保持構造によって、ラック側コネクタが上下左右に変位すると、ケーブル保持部材もケーブルを介して上下左右に追従して変位するため、ラック側コネクタがケーブルの曲げ変形を伴った配線処理の影響を受けることなく、ラック側コネクタが傾かないようになっている。
【０００９】
しかしながら、特許文献１では、機器側コネクタとラック側コネクタを１個ずつ備えた構造であるため、電子機器の背面側に複数個の機器側コネクタが一列に備えられ、ラックの背面側に機器側コネクタと同数個のラック側コネクタが一列に備えられる場合、以下のような問題点が生じてしまう。
【００１０】
すなわち、ラック側コネクタごとにケーブル保持部材およびケーブル固定具が必要となり、これらの部材を１つ１つ取付ける手間が生じてしまうという問題点があった。また、ケーブルの曲げ変形を伴った配線処理により、それぞれのケーブルの配線方向が相違するときには、それぞれのラック側コネクタの傾き方向も相違するので、機器側コネクタをラック側コネクタに接続できなくなるという問題点があった。
【００１１】
また、ケーブルの太さがそれぞれ異なるときには、ケーブルの太さに見合ったケーブル保持部材およびケーブル固定具が必要となり、部品点数の増加につながるという問題点があった。さらに、それぞれのケーブルを１つの部材で支持するようにした場合、それぞれのケーブルの位置を決めるためのガイド構造が必要となり、複雑な構造になるという問題点があった。
【先行技術文献】
【特許文献】
【００１２】
【特許文献１】特開２００７−０８１２９０号公報（第２頁−第５頁、第１図−第４図）
【発明の概要】
【発明が解決しようとする課題】
【００１３】
本発明は上記問題点に鑑み、複数個のラック側コネクタを備えた電子機器収納ラックにおいて、ラック側コネクタに接続されたケーブルの曲げ変形を伴った配線処理による複数個のラック側コネクタの傾きを簡単な構造と簡単な作業で抑えることができる電子機器収納ラックを提供することを目的とする。
【課題を解決するための手段】
【００１４】
本発明は上記課題を解決するため、請求項１記載の発明は、電子機器を収納可能なラック本体と、同ラック本体に固定され、前記電子機器の背面に備える機器側コネクタと接続可能なフローティング機構を有する複数個のラック側コネクタが取付けられたコネクタ取付部材と、同コネクタ取付部材に対する前記ラック側コネクタの傾きを規制する規制用孔を前記ラック側コネクタの個数と同数またはそれ以上有するコネクタ規制部材とを備え、同コネクタ規制部材は、前記コネクタ取付部材に対し、前記複数個のラック側コネクタが前記コネクタ取付部材に取付けられた際、前記ラック側コネクタの先端が前記規制用孔に挿入された状態となるように配置したことを特徴とする。
【発明の効果】
【００１５】
本発明によれば、複数個のラック側コネクタを備えた電子機器収納ラックにおいて、ラック側コネクタに接続されたケーブルの曲げ変形を伴った配線処理による複数個のラック側コネクタの傾きを簡単な構造と簡単な作業で抑えることで、機器側とラック側の両コネクタの接続が容易にできる。
【図面の簡単な説明】
【００１６】
【図１】本発明による電子機器収納ラックに電子機器を収納した状態を示す要部外観斜視図である。
【図２】本発明による電子機器収納ラックを示す要部分解斜視図である。
【図３】本発明による電子機器収納ラックに収納する電子機器を示す外観斜視図である。
【図４】本発明によるコネクタを示す説明図であり、（Ａ）はラック側コネクタを示す説明図、（Ｂ）は機器側コネクタを示す図３のＡ部拡大図である。
【図５】本発明によるラック側コネクタを支持する構造を示す要部上面図であり、（Ａ）はコネクタ規制部材がない場合の支持状態を示す説明図、（Ｂ）はコネクタ規制部材がある場合の支持状態を示す説明図である。
【図６】本発明による電子機器収納ラックに支持されたラック側コネクタに、電子機器に備えた機器側コネクタを接続する様子を示す説明図であり、（Ａ）は接続前を示す外観斜視図、（Ｂ）は接続後を示す外観斜視図である。
【発明を実施するための形態】
【００１７】
以下、本発明の実施形態を添付図面に基づき詳細に説明する。本実施形態における電子機器収納ラックは、図１に示すように、電子機器２００を収納可能なラック本体１を備え、このラック本体１は、ラック１０とラックマウント１００から構成されている。ラック１０に複数のラックマウント１００が固定され、このラックマウント１００に電子機器２００が収納されている。これにより、ラック１０内に複数の電子機器２００を収納することができるようになっている。
【００１８】
次に、電子機器収納ラックの構成を詳細に説明する。図２に示すように、ラックマウント１００は、マウント部材１１０と、機器取付部材１２０とを備え、このラックマウント１００に、コネクタ取付部材１３０、コネクタ規制部材１４０およびラック側コネクタ１５０が取付けられるようになっている。このように、各部材が取付けられたラックマウント１００に電子機器２００が収納されると、電子機器２００に備える後述の機器側コネクタ２２０がラック側コネクタ１５０に接続されるようになっている。
【００１９】
マウント部材１１０は、金属製であり、機器取付部材１２０が取付けられる底板１１１と、この底板の両側から上方に延びる側板１１３と、この側板１１３の前方端から外側に直角に延びるフランジ１１４とを備えている。
【００２０】
底板１１１には、コーナーに近い位置に機器取付部材１２０を取付けるための取付孔１１２が形成され、フランジ１１４には、ラック１０にマウント部材１１０を固定するための一対の切欠１１５が形成されている。
【００２１】
機器取付部材１２０は、金属製であり、マウント部材１１０に取付けられる底板１２１と、この底板１２１の前方端を上方に直角に折り曲げて形成されるフランジ１２４と、底板１２１の両側を上方に直角に折り曲げて形成される側板１２６と、側板１２６の上方端を底板１２１に対向するように直角に折り曲げて形成されるガイドレール１２７と、側板１２６の後方端をフランジ１２４に対向するように直角に折り曲げて形成されるフランジ１２８とを備えている。
【００２２】
底板１２１には、コーナーに近い位置に取付孔１２２が形成され、取付ネジ１２３がこの取付孔１２２に挿入され、上述の取付孔１１２に螺着されるようになっている。フランジ１２４には、両側に近い位置に後述の機器取付枠２３０を取付けるための一対の取付孔１２５が形成されている。ガイドレール１２７は、電子機器２００を機器取付部材１２０の前方から後方に向けてガイドするものである。フランジ１２８には、コネクタ取付部材１３０を取付けるための一対の取付孔１２９が形成されている。なお、フランジ１２４の高さは、ガイドレール１２７からフランジ１２４の上端までの高さが、電子機器２００を搭載できる高さになっている。
【００２３】
コネクタ取付部材１３０は、金属製であり、機器取付部材１２０に取付けられる前面板１３１と、この前面板１３１の上下左右の四辺から背面側に直角に延びる側板１３８とを備えている。
【００２４】
前面板１３１には、コーナーに近い位置に取付孔１３２が形成され、取付ネジ１３３がこの取付孔１３２に挿入され、上述の取付孔１２９に螺着されるようになっている。また、前面板１３１には、５個のラック側コネクタ１５０の先端が挿入される５個の貫通孔Ａ〜Ｅが横一列に形成された貫通孔群１３４を備え、貫通孔Ａ〜Ｅのそれぞれの周囲に一対の取付孔１３５が形成されている。
【００２５】
更に、前面板１３１には、貫通孔Ａおよび貫通孔Ｅよりも外側に、コネクタ規制部材１４０を取付けるための取付孔１３６が形成され、この取付孔１３６よりも外側に、電子機器２００に備える後述の機器側コネクタ２２０がラック側コネクタ１５０に対向するようにガイドするためのガイドピン１３７が設けられている。
【００２６】
コネクタ規制部材１４０は、平板状に形成された金属製であり、コネクタ取付部材１３０の前面側に、円筒状に形成されたスペーサ１６０を介して、コネクタ取付部材１３０と平行に設けられている。
【００２７】
コネクタ規制部材１４０には、コーナーに近い位置に取付孔１４１が形成され、取付ネジ１４２がこの取付孔１４１に挿入されるとともにスペーサ１６０の円筒内に挿入され、上述の取付孔１３６に螺着されるようになっている。また、コネクタ規制部材１４０には、コネクタ取付部材１３０に取付けられる５個のラック側コネクタ１５０の傾きを規制するための５個の規制用孔Ｆ〜Ｊが横一列に形成された規制用孔群１４３を備え、この規制用孔群１４３の規制用孔Ｆ〜Ｊは、上述の貫通孔群１３４である貫通孔Ａ〜Ｅと互いに対向するようになっている。
【００２８】
ラック側コネクタ１５０は、同軸ケーブル１５１付のコネクタであり、フローティング機構を有するプラグである。このラック側コネクタ１５０は、取付ネジ１５２によってコネクタ取付部材１３０に取付けられ、同軸ケーブル１５１は、コネクタ取付部材１３０の背面側で配線処理され、図示しない他の電子機器と電気的に接続されるようになっている。具体的には、ラック１０内に電子機器２００と図示しない他の電子機器が収納される場合、電子機器２００は、後述する機器側コネクタ１５０を介してラック側コネクタ１５０に接続される。このラック側コネクタ１５０に付いた同軸ケーブル１５１の他端にも図示しないフローティング機構付のラック側コネクタを備えており、図示しない他の電子機器に向けて同軸ケーブル１５１を配線処理し、図示しないラック側コネクタを介して図示しない他の電子機器の機器側コネクタに接続される。または、ラック１０外の電子機器に接続される場合もある。
【００２９】
次に、電子機器２００の構成について説明する。電子機器２００は、図３に示すように、筐体２１０と、機器側コネクタ２２０と、機器取付枠２３０とを備えている。
【００３０】
筐体２１０は、略直方体状に形成され、背面側の両側近傍にガイド孔２１１が形成され、両側面にガイド溝２１２が水平に形成されている。機器側コネクタ２２０は、筐体２１０の背面側から外側に突出するように、ガイド孔２１１よりも内側の位置に、横一列に５個固定されている。
【００３１】
機器取付枠２３０は、機器取付部材１２０のフランジ１２４に取付ネジ２３３を用いて取付けられる前面枠２３１（図６（Ｂ）参照）と、この前面枠２３１の両側から直角に延びる側面枠２３２とを備えている。この側面枠２３２が筐体２１０の両側面の前方に取付ネジ２３４を用いて取付けられている。
【００３２】
次に、ラック側コネクタ１５０と機器側コネクタ２１０の構成について説明する。まず、ラック側コネクタ１５０は、図４（Ａ）に示すように、機器側コネクタ２２０に嵌合される嵌合部１５３と、この嵌合部１５３に一体的に形成されるフランジ部１５５と、このフランジ部１５５に遊嵌可能に設けられるフローティング部材１５７とを備えている。このように、ラック側コネクタ１５０にフローティング機構を備えることで、ラック側コネクタ１５０が、コネクタ取付部材１３０に取付けられた際、電子機器２００のラックマウント１００に対するがたつきによって生じる機器側コネクタ２２０の位置ずれを、吸収できるようにしている。
【００３３】
嵌合部１５３は、その先端の内周面にテーパー１５４が形成され、このテーパー１５４の範囲内で、機器側コネクタ２２０に備える後述の嵌合部２１１との嵌合軸の軸合わせが可能になっている。フランジ部１５５は、長方形状に形成され、その両側に一対のフローティング用丸孔１５６が設けられている。
【００３４】
フローティング部材１５７は、ネジ挿通孔を有するボビン形状に形成され、フローティング用丸孔１５６に遊嵌可能に嵌合される嵌合部１５８と、この嵌合部１５８の両端に一体的に形成される一対のフローティング用フランジ部１５９とを備えている。
【００３５】
フローティングの移動範囲は、フローティング用丸孔１５６と嵌合部１５８との間のあそびによって形成されている。このあそびは、フローティング用丸孔１５６の直径Ｏと嵌合部１５８の外径Ｐの差分（Ｏ−Ｐ）と、嵌合部１５８の高さｍとフランジ部１５５の厚さｎの差分（ｍ−ｎ）とから成り立っている。
【００３６】
フローティング部材１５７に取付ネジ１５２を挿通し、コネクタ固定部材１３０の取付孔１３５に螺着した際、差分（Ｏ−Ｐ）と差分（ｍ−ｎ）によるあそびの範囲内で、嵌合部１５３とフランジ部１５５がフローティング部材１５７に対し、嵌合部１５３の径方向および嵌合軸方向に変位するようになっている。したがって、嵌合部１５３はフローティング部材１５７に対し、嵌合軸方向の変位に径方向の変位が合成されて傾いてしまう。
【００３７】
一方、機器側コネクタ２２０は、図４（Ｂ）に示すように、フローティング機構のない固定されたコネクタであり、ラック側コネクタ１５０に接続可能なレセプタクルである。機器側コネクタ２２０は、ラック側コネクタ１５０に嵌合する嵌合部２２１と、この嵌合部２２１に一体的に形成されるフランジ部２２２とを備えている。このフランジ部２２２が取付ネジ２２３によって電子機器２００の背面側に固定されている。
【００３８】
次に、ラックマウント１００、コネクタ取付部材１３０およびコネクタ規制部材１４０の組立手順について説明する。図２に示すように、まず、スペーサ１６０を介してコネクタ規制部材１４０をコネクタ取付部材１３０に固定する。この時、取付ネジ１４２が取付孔１４１およびスペーサ１６０に挿入され、取付孔１３６に螺着される。次いで、このコネクタ取付部材１３０を機器取付部材１２０に固定する。この時、取付ネジ１３３が取付孔１３２に挿入され、取付孔１２９に螺着される。更に、この機器取付部材１２０をマウント部材１１０に固定する。この時、取付ネジ１２３が取付孔１２２に挿入され、取付孔１１２に螺着される。
【００３９】
次に、ラック側コネクタ１５０をコネクタ取付部材１３０およびコネクタ規制部材１４０に支持させる組立手順について説明する。なお、上述のように組立られたラックマウント１００がラック１０に固定された状態で、ラック本体１の背面側から、ラック側コネクタ１５０をコネクタ取付部材１３０およびコネクタ規制部材１４０に支持させるものとして説明する。
【００４０】
図２および図５（Ｂ）に示すように、ラック側コネクタ１５０の嵌合部１５３を貫通孔Ａに挿入するとともに、規制用孔Ｆに挿入する。次いで、取付ネジ１５２をフローティング部材１５７に挿入するとともに、取付孔１３５に螺着する。他のラック側コネクタ１５０は図示していないが、上述と同様に、それぞれの嵌合部１５３を貫通孔Ｂ〜Ｅに挿入するとともに、規制用孔Ｇ〜Ｊに挿入し、その後、取付ネジ１５２をフローティング部材１５７に挿入するとともに、取付孔１３５に螺着する。
【００４１】
これにより、５個のラック側コネクタ１５０のそれぞれの嵌合部１５３の先端が、規制用孔Ｆ〜Ｊに挿入された状態で、規制用孔Ｆ〜Ｊの前面側の開口端に沿うように配置される。このような配置となるように、コネクタ取付部材１３０とコネクタ規制部材１４０との間に介在されるスペーサ１６０の長さが設定されている。なお、規制用孔Ｆ〜Ｊの前面側の開口端に必ずしも沿わなくてもよく、開口端よりも若干突出された状態で配置されるようにしてもよい。また、５個のラック側コネクタ１５０は、コネクタ取付部材１３０およびコネクタ規制部材１４０に対して遊嵌可能に支持された状態となる。
【００４２】
すなわち、貫通孔Ａ〜Ｅと嵌合部１５３との間には、寸法にあそびを有している。このあそびは、貫通孔Ａ〜Ｅの直径Ｓと嵌合部１５３の外径Ｒの差分（Ｓ−Ｒ）から成り立っている。この差分（Ｓ−Ｒ）は、上述の差分（Ｏ−Ｐ）以上になっていればよいが、本実施形態では差分（Ｓ−Ｒ）を差分（Ｏ−Ｐ）と同一に設定している。
【００４３】
また、規制用孔Ｆ〜Ｊと嵌合部１５３との間には、寸法にあそびを有している。このあそびは、規制用孔Ｆ〜Ｊの直径Ｑと嵌合部１５３の外径Ｒの差分（Ｑ−Ｒ）から成り立っている。更に、規制用孔Ｆ〜Ｊの直径Ｑは、貫通孔Ａ〜Ｅの直径Ｓ以下になっていればよいが、本実施形態では規制用孔Ｆ〜Ｊの直径Ｑは、貫通孔Ａ〜Ｅの直径Ｓよりも小さく設定している。これにより、貫通孔Ａ〜Ｅに対する嵌合部１５３の径方向の可動範囲よりも、規制用孔Ｆ〜Ｊに対する嵌合部１５３の径方向の可動範囲が狭くなっている。
【００４４】
この結果、上述の差分（ｍ−ｎ）と差分（Ｓ−Ｒ）と差分（Ｑ−Ｒ）によるあそびの範囲内で、嵌合部１５３がコネクタ取付部材１３０およびコネクタ規制部材１４０に対し、嵌合部１５３の径方向および嵌合軸方向に変位するようになっており、上述した差分（Ｏ−Ｐ）と差分（ｍ−ｎ）によるあそびの範囲内での嵌合部１５３の径方向および嵌合軸方向の変位よりも小さくなっている。
【００４５】
したがって、本実施形態におけるコネクタ規制部材１４０を配置しない場合、図５（Ａ）に示すように、コネクタ取付部材１３０の背面側において、曲げ変形を伴った同軸ケーブル１５１の配線処理がなされると、コネクタ取付部材１３０に対し、ラック側コネクタ１５０が必要以上に傾いた状態となる。このため、機器側コネクタ２２０の嵌合部１５３の嵌合軸に対し、ラック側コネクタ１５０の嵌合部１５３の嵌合軸が、例えば、左方向に角度θ傾いた状態となり、このラック側コネクタ１５０に機器側コネクタ２２０を正しく接続できなくなる。仮に、無理して接続できたとしても、ラック側コネクタ１５０および機器側コネクタ２２０が破損することになる。
【００４６】
これに対して、本実施形態におけるコネクタ規制部材１４０を配置している場合、図５（Ｂ）に示すように、コネクタ取付部材１３０の背面側において、曲げ変形を伴った同軸ケーブル１５１の配線処理がなされると、ラック側コネクタ１５０の左方向の角度θの傾きはコネクタ規制部材１４０の規制用孔Ｆ〜Ｊによって所定範囲に規制され、コネクタ取付部材１３０およびコネクタ規制部材１４０に対し、ラック側コネクタ１５０は若干傾いた状態となる。したがって、ラック側コネクタ１５０の嵌合部１５３の径方向および嵌合軸方向の変位が、上述の差分（ｍ−ｎ）と差分（Ｓ−Ｒ）と差分（Ｑ−Ｒ）によるあそびの範囲内に限定されるため、機器側コネクタ２２０の嵌合部１５３の嵌合軸に対し、ラック側コネクタ１５０の嵌合部１５３の嵌合軸を、略同一軸方向に対向させた状態にすることができる。
【００４７】
次に、電子機器２００をラックマウント１００に収納するとともに、機器側コネクタ２２０をラック側コネクタ１５０に接続する方法について説明する。図５（Ｂ）および図６に示すように、まず、電子機器２００を機器取付部材１２０に収納する。この時、電子機器２００のガイド溝２１２を機器取付部材１２０のガイドレール１２７に合わせて電子機器２００をガイドさせ、電子機器２００をコネクタ規制部材１４０に向けてスライドさせる。その後、電子機器２００のガイド孔２１１をコネクタ取付部材１３０のガイドピン１３７でガイドさせ、更に、電子機器２００をコネクタ規制部材１４０に向けてスライドさせる。この時、電子機器２００の機器取付部材１２０に対する位置ずれを補正し、嵌合部２２１が嵌合部１５３に略同一軸方向に対向するように位置合わせされる。次いで、嵌合部２２１の先端が嵌合部１５３のテーパー１５４に当接されると、嵌合部１５３と規制用孔Ｆ〜Ｊとの遊嵌範囲で、嵌合部２２１と嵌合部１５３の嵌合軸同士が合わせられる。次いで、嵌合部２２１と嵌合部１５３とが互いに嵌合され、機器側コネクタ２２０とラック側コネクタ１５０の図示しない結合部同士が結合されて電気的に接続される。最後に、前面枠２３１をフランジ１２４に固定させる。この時、取付ネジ２３３が取り付け孔１２５に螺着される。
【００４８】
以上説明してきた本実施形態における電子機器収納ラックは、電子機器２００を収納可能なラック本体１と、このラック本体１に固定され、電子機器２００の背面に備える機器側コネクタ２２０と接続可能なフローティング機構を有する５個のラック側コネクタ１５０が取付けられるコネクタ取付部材１３０と、このコネクタ取付部材１３０に対するラック側コネクタ１５０の傾きを規制する規制用孔Ｆ〜Ｊをラック側コネクタ１５０と同数の５個有するコネクタ規制部材１４０とを備えている。
【００４９】
このコネクタ規制部材１４０は、コネクタ取付部材１３０に対し、５個のラック側コネクタ１５０がコネクタ取付部材１３０に取付けられた際、ラック側コネクタ１５０の先端が規制用孔Ｆ〜Ｊに挿入された状態となるように配置されている。
【００５０】
また、１個のコネクタ規制部材１４０が、スペーサ１６０を介してコネクタ取付部材１３０に取付けられ、５個のラック側コネクタ１５０の嵌合部１５３が、貫通孔Ａ〜Ｅおよび規制用孔Ｆ〜Ｊに挿入され、取付ネジ１５２がフローティング部材１５７に挿入され、取付孔１３５に螺着される構造になっている。
【００５１】
これにより、本実施形態による電子機器収納ラックでは、ラック側コネクタ１５０の嵌合部１５３が、貫通孔Ａ〜Ｅおよび規制用孔Ｆ〜Ｊに対して遊嵌可能に支持される構造になっており、背景技術のように、同軸ケーブル１５１側が支持される構造ではないため、ラックマウント１００の背面側で曲げ変形を伴った同軸ケーブル１５１の配線処理を自由に行うことができる。
【００５２】
また、曲げ変形を伴った同軸ケーブル１５１の配線処理に起因する５個のラック側コネクタ１５０の嵌合部１５３の傾きを、簡単な構造と簡単な作業で抑えることができる。
【００５３】
以上説明してきた本実施形態における電子機器収納ラックでは、５個のラック側コネクタ１５０の嵌合部１５３が貫通孔Ａ〜Ｅおよび規制用孔Ｆ〜Ｊに挿入された際、各嵌合部１５３の先端が規制用孔Ｆ〜Ｊの前面側の開口端に沿うように配置され、かつ、各嵌合部１５３が貫通孔Ａ〜Ｅおよび規制用孔Ｆ〜Ｊに対し、各嵌合部１５３の径方向および嵌合軸方向に遊嵌可能になっている。
【００５４】
これにより、５個のラック側コネクタ１５０の嵌合部１５３の傾き方向がそれぞれ異なっていても、これらの嵌合部１５３の傾きを、略同一方向に遊嵌可能な状態で規制することができる。このため、ラック側コネクタ１５０の嵌合部１５３と機器側コネクタ２２０の嵌合部２２１の嵌合軸同士が完全に一致していなくても、ラック側コネクタ１５０のフローティング機構により、これを吸収することができ、５個の機器側コネクタ２２０を５個のラック側コネクタ１５０に一括して接続することができる。
【００５５】
なお、本実施形態による電子機器収納ラックでは、５個のラック側コネクタ１５０が、コネクタ取付部材１３０に形成された５個の貫通孔Ａ〜Ｅ、コネクタ規制部材１４０に形成された５個の規制用孔Ｆ〜Ｊにそれぞれ挿入される構造にしたが、本発明はこれに限定されるものではなく、５個以外の複数個のラック側コネクタ１５０が、ラック側コネクタ１５０の個数と同数の貫通孔および規制用孔に挿入される構造にしてもよい。また、コネクタ規制部材１４０にラック側コネクタ１５０の個数以上の規制用孔を有するようにしてもよく、この場合、電子機器２００の機能変更などによって機器側コネクタ２２０やラック側コネクタ１５０が増えても、これに対応することができる。
【００５６】
また、本実施形態による電子機器収納ラックでは、貫通孔Ａ〜Ｅに対する嵌合部１５３の径方向の可動範囲よりも、規制用孔Ｆ〜Ｊに対する嵌合部１５３の径方向の可動範囲を狭くしたが、本発明はこれに限定されるものではなく、ラック側コネクタ１５０と機器側コネクタ２２０同士が嵌合できる範囲において、貫通孔Ａ〜Ｅに対する嵌合部１５３の径方向の可動範囲と、規制用孔Ｆ〜Ｊに対する嵌合部１５３の径方向の可動範囲とを同一にしてもよい。
【００５７】
また、本実施形態による電子機器収納ラックでは、コネクタ取付部材１３０に５個のラック側コネクタ１５０を挿入する５個の貫通孔Ａ〜Ｅを横一列に形成し、コネクタ規制部材１４０に５個のラック側コネクタ１５０の傾きを規制する５個の規制用孔Ｆ〜Ｊを横一列に形成したが、本発明はこれに限定されるものではなく、電子機器２００の背面側に固定される複数個の機器側コネクタ２２０の配列に合わせて、貫通孔Ａ〜Ｅおよび規制用孔Ｆ〜Ｊを縦一列やその他の配列に形成してもよい。
【００５８】
更に、本実施形態による電子機器収納ラックでは、コネクタ規制部材１４０を平板状に形成された金属製としたが、本発明はこれに限定されるものではなく、ラック側コネクタ１５０の傾きを規制するコネクタ規制部材１４０として、強度があり変形のないものであれば、樹脂製としてもよい。
【符号の説明】
【００５９】
１  ラック本体
１０  ラック
１００  ラックマウント
１１０  マウント部材
１１１  底板
１１２  取付孔
１１３  側板
１１４  フランジ
１１５  切欠
１２０  機器取付部材
１２１  底板
１２２  取付孔
１２３  取付ネジ
１２４  フランジ
１２５  取付孔
１２６  側板
１２７  ガイドレール
１２８  フランジ
１２９  取付孔
１３０  コネクタ取付部材
１３１  前面板
１３２  取付孔
１３３  取付ネジ
１３４  貫通孔群
Ａ〜Ｅ  貫通孔
１３５  取付孔
１３６  取付孔
１３７  ガイドピン
１３８  側板
１４０  コネクタ規制部材
１４１  取付孔
１４２  取付ネジ
１４３  規制用孔群
Ｆ〜Ｊ  規制用孔
１５０  ラック側コネクタ
１５１  同軸ケーブル
１５２  取付ネジ
１５３  嵌合部
１５４  テーパー
１５５  フランジ部
１５６  フローティング用丸孔
１５７  フローティング部材
１５８  嵌合部
１５９  フローティング用フランジ部
１６０  スペーサ
２００  電子機器
２１０  筐体
２２０  機器側コネクタ
２２１  嵌合部
２２２  フランジ部
２２３  取付ネジ
２３０  機器取付枠
２３１  前面枠
２３２  側面枠
２３４  取付ネジ
【図１】
0005488257.tif 000002
【図２】
0005488257.tif 000003
【図３】
0005488257.tif 000004
【図４】
0005488257.tif 000005
【図５】
0005488257.tif 000006
【図６】
0005488257.tif 000007